(57)【要約】【課題】ハンドオーバ時のユーザデータの転送時間を短縮できること。【解決手段】通信システムは、ユーザプレーンの制御を行うＳ−ＧＷ１２０と、ｅＮＢ１００と、ｅＮＢ１００と無線通信を行うＵＥ１１０とを含み、マクロセルのＭｅＮＢ１００ｍで制御プレーンを終端し、複数のスモールセルのＳｅＮＢ１００ｓでユーザプレーンを終端した同時通信（Ｄｕａｌ  Ｃｏｎｎｅｃｔｉｖｉｔｙ）を行う。複数のＳｅＮＢ１００ｓは、ＵＥ１１０の移動に基づき、それぞれ、ＵＥ１１０に対する無線リソースおよびバックホール側回線リソースを獲得または解放した場合、獲得または解放したリソース情報をＳ−ＧＷ１２０に通知する。Ｓ−ＧＷ１２０は、通知されたリソース情報に基づいて、ＳｅＮＢ１００ｓ間でのハンドオーバの判断を行い、該当するＳｅＮＢ１００ｓにユーザデータを切り替える制御を行う。【選択図】図１
2019106586.tif 000002
【特許請求の範囲】
【請求項１】
ユーザプレーンの制御を行う制御装置と、基地局装置と、前記基地局装置と無線通信を行う端末とを含み、マクロセルの前記基地局装置で制御プレーンを終端し、複数のスモールセルの前記基地局装置でユーザプレーンを終端した同時通信（Ｄｕａｌ  Ｃｏｎｎｅｃｔｉｖｉｔｙ）を行う通信システムにおいて、
前記端末の移動に基づき、複数の前記基地局装置は、それぞれ、前記端末に対する無線リソースおよびバックホール側回線リソースを獲得または解放した場合、獲得または解放したリソース情報を前記制御装置に通知し、
前記制御装置は、通知された前記リソース情報に基づいて、前記スモールセルの前記基地局装置間でのハンドオーバの判断を行い、該当する前記基地局装置にユーザデータを切り替える制御を行う、
ことを特徴とする通信システム。
【請求項２】
前記制御装置は、
同一の端末の識別子の前記リソース情報の通知を受けた複数の前記基地局装置間で、前記無線リソースの獲得および開放があり、かつ、前記無線リソースを解放した前記基地局装置で前記ユーザデータ転送用の前記バックホール側回線リソースを確保した場合に、複数の前記基地局装置間でハンドオーバがあったと判断することを特徴とする請求項１に記載の通信システム。
【請求項３】
前記スモールセルの前記基地局装置は、前記マクロセルの前記基地局装置から前記リソースの獲得または解放の指示に基づき、前記端末に対する無線リソースおよびバックホール側回線リソースの獲得または解放を行うことを特徴とする請求項１または２に記載の通信システム。
【請求項４】
前記スモールセルの基地局装置は、前記リソース情報として、前記端末の識別子、前記端末用に獲得または解放した前記無線リソースのセル識別子とリソース量、前記端末用に獲得または解放した前記バックホール側回線リソースのリソース識別子、リソース量、転送先端末の識別子、前記スモールセルの前記基地局装置全体の無線リソース量および有線リソース量の各情報を含み、前記制御装置に通知することを特徴とする請求項１〜３のいずれか一つに記載の通信システム。
【請求項５】
マクロセルの基地局装置で制御プレーンを終端し、複数のスモールセルの基地局装置でユーザプレーンを終端し、端末との間で同時通信（Ｄｕａｌ  Ｃｏｎｎｅｃｔｉｖｉｔｙ）を行う通信システムの前記ユーザプレーンの制御を行う制御装置において、
前記マクロセルの前記基地局装置から通知された、前記端末に対する無線リソースおよびバックホール側回線リソースを示すリソース情報に基づいて、前記スモールセルの前記基地局装置間でのハンドオーバの判断を行い、該当する前記基地局装置にユーザデータを切り替える制御を行うことを特徴とする制御装置。
【請求項６】
ユーザプレーンの制御を行う制御装置と、マクロセルの基地局装置で制御プレーンを終端し、複数のスモールセルの基地局装置で前記ユーザプレーンを終端し、端末との間で同時通信（Ｄｕａｌ  Ｃｏｎｎｅｃｔｉｖｉｔｙ）を行う通信システムの前記スモールセルの基地局装置において、
前記端末の移動に基づき、複数の前記基地局装置は、それぞれ、前記端末に対する無線リソースおよびバックホール側回線リソースを獲得または解放した場合、獲得または解放したリソース情報を前記制御装置に通知し、
前記制御装置から通知された前記ユーザデータの切り替え通知を受けた装置が受信したユーザデータを前記端末に無線送信することを特徴とする基地局装置。
【請求項７】
ユーザプレーンの制御を行う制御装置と、基地局装置と、前記基地局装置と無線通信を行う端末とを含み、マクロセルの前記基地局装置で制御プレーンを終端し、複数のスモールセルの前記基地局装置でユーザプレーンを終端した同時通信（Ｄｕａｌ  Ｃｏｎｎｅｃｔｉｖｉｔｙ）を行う通信システムの通信方法において、
複数の前記スモールセルの前記基地局装置は、前記端末の移動に基づき、それぞれ、前記端末に対する無線リソースおよびバックホール側回線リソースを獲得または解放した場合、獲得または解放したリソース情報を前記制御装置に通知し、
前記制御装置は、通知された前記リソース情報に基づいて、前記スモールセルの前記基地局装置間でのハンドオーバの判断を行い、該当する前記基地局装置にユーザデータを切り替える制御を行う、
ことを特徴とする通信方法。
【発明の詳細な説明】
【技術分野】
【０００１】
本発明は、移動無線通信システムの呼制御にかかる制御装置、基地局装置、通信システムおよび通信方法に関する。
【背景技術】
【０００２】
次世代の移動無線通信システム、例えば、ＬＴＥでは、基地局装置（ｅＮＢ）は、制御プレーン（Ｃ−Ｐｌａｎｅ）と、ユーザプレーン（Ｕ−Ｐｌａｎｅ）の信号およびプロトコルを用いて移動する端末（ＵＥ）との間の無線通信を行う。ｅＮＢはｅｖｏｌｖｅｄ  Ｎｏｄｅ  Ｂ、ＬＴＥはＬｏｎｇ  Ｔｅｒｍ  Ｅｖｏｌｕｔｉｏｎ、ＵＥはＵｓｅｒ  Ｅｑｕｉｐｍｅｎｔの略である。基地局装置は、制御プレーンを用いて端末の接続管理等を行い、ユーザプレーンを用いてユーザデータの送受信を行う。
【０００３】
この通信システムは、高速大容量化のため、端末が複数の基地局装置の同時通信（Ｄｕａｌ  Ｃｏｎｎｅｃｔｉｖｉｔｙ：ＤＣ）によりコンポーネントキャリア（Ｃｏｍｐｏｎｅｎｔ  Ｃａｒｒｉｅｒ：ＣＣ）を束ねて、ユーザスループットの向上が図られている。
【０００４】
ＤＣでは、ある一つのマクロセルの基地局装置（以下ＭｅＮＢ）が制御プレーンを終端し、他のスモールセルの基地局装置（以下ＳｅＮＢ）が高トラヒックを収容してユーザプレーンのみを終端する構成を取ることができる。ＭｅＮＢのＭはＭａｓｔｅｒ、ＳｅＮＢのＳはＳｅｃｏｎｄａｒｙの略である。ＤＣにより、ＭｅＮＢで端末を集中管理できるため、ネットワーク負荷が小さく、高トラヒックへの対応が可能になる。
【０００５】
ＤＣにおけるＳｅＮＢ間のハンドオーバ（Ｈａｎｄ  Ｏｖｅｒ：ＨＯ）時、ユーザデータは、ＨＯ元のソースＳｅＮＢからＭｅＮＢを介し、ＨＯ後のターゲットＳｅＮＢに転送されることが規定されている（例えば、下記特許文献１，２参照。）。
【先行技術文献】
【特許文献】
【０００６】
【特許文献１】特開２０１５−１７０８９１号公報
【特許文献２】国際公開第２０１７／０２２１６７号
【発明の概要】
【発明が解決しようとする課題】
【０００７】
上記従来の技術では、ＨＯ中の期間は、Ｓ−ＧＷから出力されたユーザデータがターゲットＳｅＮＢに辿り着くまでには多くの経路を通る。このＨＯ中、ソースＳｅＮＢは、ＭｅＮＢにユーザデータを送出し、ＭｅＮＢはユーザデータをターゲットＳｅＮＢに送出する。このため、ＨＯ中の期間は、ＭｅＮＢに負荷がかかり、またソースＳｅＮＢおよびターゲットＳｅＮＢとの間の伝送経路（例えば、Ｘ２インタフェース）の負荷が増大する。
【０００８】
一つの側面では、本発明は、ハンドオーバ時のユーザデータの転送時間を短縮できることを目的とする。
【課題を解決するための手段】
【０００９】
一つの案では、通信システムは、ユーザプレーンの制御を行う制御装置と、基地局装置と、前記基地局装置と無線通信を行う端末とを含み、マクロセルの前記基地局装置で制御プレーンを終端し、複数のスモールセルの前記基地局装置でユーザプレーンを終端した同時通信（Ｄｕａｌ  Ｃｏｎｎｅｃｔｉｖｉｔｙ）を行う通信システムにおいて、前記端末の移動に基づき、複数の前記基地局装置は、それぞれ、前記端末に対する無線リソースおよびバックホール側回線リソースを獲得または解放した場合、獲得または解放したリソース情報を前記制御装置に通知し、前記制御装置は、通知された前記リソース情報に基づいて、前記スモールセルの前記基地局装置間でのハンドオーバの判断を行い、該当する前記基地局装置にユーザデータを切り替える制御を行う、ことを要件とする。
【発明の効果】
【００１０】
一つの実施形態によれば、ハンドオーバ時のユーザデータの転送時間を短縮できるという効果を奏する。
【図面の簡単な説明】
【００１１】
【図１】図１は、実施の形態にかかる通信システムの全体構成例を示す図である。
【図２】図２は、既存の通信システムによる課題を説明するための図である。
【図３】図３は、実施の形態にかかる基地局装置のハードウェア構成例を示す図である。
【図４】図４は、実施の形態にかかる基地局装置の機能構成例を示す図である。
【図５】図５は、実施の形態にかかる制御装置のハードウェア構成例を示す図である。
【図６】図６は、実施の形態にかかる制御装置の機能構成例を示す図である。
【図７】図７は、実施の形態にかかる基地局装置が制御装置に通知する情報例を示す図表である。
【図８】図８は、実施の形態にかかる基地局装置の動作例を示すフローチャートである。
【図９】図９は、実施の形態にかかる制御装置の動作例を示すフローチャートである。
【図１０】図１０は、既存の通信システムにおける各装置間のデータのやり取りを示すシーケンス図である。
【図１１】図１１は、実施の形態にかかる通信システムにおける各装置間のデータのやり取りを示すシーケンス図である。
【発明を実施するための形態】
【００１２】
（実施の形態）
図１は、実施の形態にかかる通信システムの全体構成例を示す図である。図１のシステム構成例は、既存技術においても同様である。はじめに、実施の形態にかかる通信システムの概要構成について説明する。実施の形態の通信システムは、基地局装置（ｅＮＢ）１００と端末（ＵＥ）１１０との間で、例えば、ＬＴＥによる無線通信を行う。基地局装置１００は、制御プレーン（Ｃ−Ｐｌａｎｅ）を用いてＵＥ１１０の接続管理等を行い、ユーザプレーン（Ｕ−Ｐｌａｎｅ）を用いてユーザデータの送受信を行う。
【００１３】
ｅＮＢ１００は、通信システムの上位装置である制御装置（ＭＭＥ／Ｓｅｒｖｉｎｇ−Ｇａｔｅｗａｙ：Ｓ−ＧＷ）１２０や、隣接するｅＮＢ１００との間で装置間インタフェースを確立して通信を行う。実施の形態では、便宜上、制御プレーンを制御するＭＭＥおよびユーザプレーンを制御するＳ−ＧＷを同一の符号１２０で示す。そして、ｅＮＢ１００は、例えば、ＭＭＥ／Ｓ−ＧＷ１２０との間はＩＰプロトコルを用いたＳ１インタフェースで通信し、隣接するｅＮＢ１００との間はＸ２インタフェースで通信する。
【００１４】
ＭＭＥはＭｏｂｉｌｉｔｙ  Ｍａｎａｇｅｍｅｎｔ  Ｅｎｔｉｔｙの略であり、制御プレーン（図中実線）のアクセスゲートウェイとして機能し、Ｓ−ＧＷはユーザデータ（図中点線）のゲートウェイとして機能する。コアネットワーク（Ｃｏｒｅ  ＮＷ）１３０上には、ユーザデータを送出するサービス装置のサーバ等が配置される。
【００１５】
図１に示すように、ＵＥ１１０が複数のｅＮＢ１００との同時通信（ＤＣ）によりコンポーネントキャリア（ＣＣ）を束ねることで、ユーザスループットを向上できる。実施形態のＤＣでは、ＭｅＮＢ１００ｍがマクロセルにより制御プレーンを終端する。また、ＳｅＮＢ１００ｓが高トラヒックを収容しやすいスモールセルでユーザプレーンのみを終端する構成を取る。このようなＤＣにより、ＭｅＮＢ１００ｍでＵＥ１１０を集中管理できるため、ネットワーク負荷が小さく、高トラヒックへの対応が可能になる。
【００１６】
ここで、単に、スモールセルのＳｅＮＢ１００ｓを数多く設置した場合には、セルのカバー範囲が狭いため、ＵＥ１１０の移動による接続と切断が都度発生し、ネットワークへの負荷が増大する。図１に示すＤＣでは、ＭｅＮＢ１００ｍによってＵＥ１１０を集中管理することで、ネットワーク負荷を低減して高トラヒックへの対応が可能になる。
【００１７】
基地局装置１００（ＭｅＮＢおよびＳｅＮＢ）では、ユーザの管理を行い、ユーザ毎にベアラの割り当て状況、ＨＯの有無およびＨＯ時のシーケンス管理、基地局装置１００内のリソースの管理（獲得・解放）等を行う。ＭｅＮＢ１００ｍは、各ＳｅＮＢ１００ｓのユーザ情報も管理し、ＨＯ指示など呼制御に関する指示を行う。また、図１では、不図示であるが、ＳｅＮＢ１００ｓは、ＭｅＮＢ１００ｍから受信した制御プレーン信号の内容を解析し、制御指示にしたがって基地局装置内リソースの獲得・解放を行う機能を有する。
【００１８】
図２は、既存の通信システムによる課題を説明するための図である。既存の技術によるＤＣにおけるＳｅＮＢ間のＨＯ（Ｉｎｔｅｒ  ＳｅＮＢ  ＳＣＧ  Ｃｈａｎｇｅ）時の図２（ａ）〜（ｃ）の各時期別の状態を用いて課題を説明しておく。ＳＣＧはＳｅｃｏｎｄａｒｙ  Ｃｅｌｌ  Ｇｒｏｕｐの略である。
【００１９】
はじめに、図２（ａ）に示すＨＯ前の状態では、ユーザデータは、Ｓ−ＧＷ１２０からＨＯ元のソースＳｅＮＢ１００ｓｓに送出される。ソースＳｅＮＢ１００ｓｓは、受け取ったユーザデータ（例えば１０Ｇｂｐｓ）の一部（例えば１Ｇｂｐｓ）をＭｅＮＢ１００ｍに振り分け、残り分（例えば９Ｇｂｐｓ）をＵＥ１１０に送信する。
【００２０】
ＵＥ１１０は、ＤＣにより、ＭｅＮＢ１００ｍとソースＳｅＮＢ１００ｓｓからそれぞれユーザデータ（合計１０Ｇｂｐｓ）を受信する。ＭＭＥ１２０は制御データをＭｅＮＢ１００ｍに送出し、ＭｅＮＢ１００ｍはＨＯ前後において継続して制御データを対象のＵＥ１１０に送出する。
【００２１】
次に、図２（ｂ）にはＵＥ１１０の移動によるＳＣＧ、すなわちＳｅＮＢ１００ｓの切り替えによるＨＯが生じた状態を示す。このＨＯ切り替え中の状態において、ソースＳｅＮＢ１００ｓｓは、ユーザデータ（例えば１０Ｇｂｐｓ）を全てＭｅＮＢ１００ｍに送出する。このＨＯの際、ＭｅＮＢ１００ｍはユーザデータ（例えば１０Ｇｂｐｓ）を全てＨＯ先のターゲットＳｅＮＢ１００ｓｔに送出する。
【００２２】
この後、図２（ｃ）には、ＵＥ１１０のＨＯ後の状態を示す。ＨＯ後、Ｓ−ＧＷ１２０は、ユーザデータ（例えば１０Ｇｂｐｓ）を全てターゲットＳｅＮＢ１００ｓｔに送出する。そして、ターゲットＳｅＮＢ１００ｓｔは、受け取ったユーザデータ（例えば１０Ｇｂｐｓ）の一部（例えば１Ｇｂｐｓ）をＭｅＮＢ１００ｍに振り分け、残り分（例えば９Ｇｂｐｓ）をＵＥ１１０に送信する。ＵＥ１１０は、ＤＣにより、ＭｅＮＢ１００ｍとターゲットＳｅＮＢ１００ｓｔからそれぞれユーザデータ（合計１０Ｇｂｐｓ）を受信する。
【００２３】
このようなＨＯ（ＳＣＧ）中の期間、Ｓ−ＧＷ１２０から出力されたユーザデータは、ターゲットＳｅＮＢ１００ｓｔに辿り着くまでには多くの経路を通る。この際、図２（ｂ）に示したように、ソースＳｅＮＢ１００ｓｓは、ＭｅＮＢ１００ｍにユーザデータを送出し、ＭｅＮＢ１００ｍはユーザデータをターゲットＳｅＮＢ１００ｓｔに送出する。
【００２４】
これは、ソースＳｅＮＢ１００ｓｓとターゲットＳｅＮＢ１００ｓｔとが直接通信を行わないためであり、ＨＯ中のユーザデータはＭｅＮＢ１００ｍを経由して転送制御されている。
【００２５】
このため、ＨＯ中の期間は、ＭｅＮＢ１００ｍに負荷がかかり、またソースｅＮＢ１００ｓｓからＭｅＮＢ１００ｍを介してターゲットＳｅＮＢ１００ｓｔに至る伝送経路（例えば、Ｘ２インタフェース）の負荷が増大する。
【００２６】
実施の形態では、上述した既存技術の課題を解消するために、Ｓ−ＧＷ１２０から送信されたユーザデータを、早期にターゲットＳｅＮＢ１００ｓｔに向けて送信するように、パスの切替タイミングを早くする。すなわち、図２（ｂ）に示すＨＯの期間中におけるＭｅＮＢ１００ｍを経由するユーザデータの転送をできるだけ早めの時期に終わらせ、Ｓ−ＧＷ１２０が直接ターゲットＳｅＮＢ１００ｓｔにユーザデータを送信できるようにする。このため、実施の形態では、（１）ＳｅＮＢ１００ｓと、（２）Ｓ−ＧＷ１２０に以下の機能を追加する。
【００２７】
（１）ＳｅＮＢ１００ｓへの機能追加
あるユーザ（ＵＥ１１０）に対する無線リソースと、基幹通信網につなぐための中継回線（バックホール：ＢＨ）側回線リソースの獲得・解放を契機に、Ｓ−ＧＷ１２０に対して、無線リソース・ＢＨ側回線リソースを通知する機能を追加する。ＢＨ側回線リソースは、どの方路に向けたものか等の使用用途を含む。
【００２８】
（２）Ｓ−ＧＷ１２０への機能追加
ＳｅＮＢ１００ｓから、ＳｅＮＢ１００ｓにおける無線リソース・ＢＨ側回線リソース（どの方路に向けたものか等の使用用途を含む）の獲得・解放状態、そのリソース遷移の目的を収集および管理する機能を追加する。また、Ｓ−ＧＷ１２０が自律して、ＳｅＮＢ１００ｓとの間のユーザデータ転送パスの切替判断を行う機能を追加する。
【００２９】
上記機能を組み合わせることで、Ｓ−ＧＷ１２０において、各ＳｅＮＢ１００ｓのユーザ（ＵＥ１１０）に対する、無線リソース・ＢＨ側回線リソースの情報を管理する。そして、あるユーザ（ＵＥ１１０）に関して、Ｉｎｔｅｒ−ＳｅＮＢ  ＳＣＧ  Ｃｈａｎｇｅが実施されたことを判断することで、Ｓ−ＧＷ１２０でのパス切替を可能とする。
【００３０】
これにより、ＤＣのＨＯ（Ｉｎｔｅｒ−ＳｅＮＢ  ＳＣＧ  Ｃｈａｎｇｅ）の際、Ｓ−ＧＷ１２０は、ＳｅＮＢ１００ｓ側のリソースを監視してリソース状態（獲得・解放）の変化にリアルタイムに追従することが可能になる。そして、ＭｅＮＢ１００ｍが指示するよりも先に、Ｓ−ＧＷ１２０自身がユーザデータの転送をソースＳｅＮＢ１００ｓｓからターゲットＳｅＮＢ１００ｓｔに切り替える制御を行う。これにより、ＨＯ中のユーザデータの転送時間を最小化し、ＭｅＮＢ１００ｍの負荷を軽減させ、また、ｅＮＢ１００（ＭｅＮＢ１００ｍとＳｅＮＢ１００ｓ）間の通信インタフェースの負荷を軽減することができるようになる。
【００３１】
図３は、実施の形態にかかる基地局装置のハードウェア構成例を示す図である。基地局装置（ｅＮＢ１００）として、上述したＭｅＮＢ１００ｍ、ＳｅＮＢ１００ｓの構成例を示す。
【００３２】
ｅＮＢ１００は、ＣＰＵ（Ｃｅｎｔｒａｌ  Ｐｒｏｃｅｓｓｉｎｇ  Ｕｎｉｔ）３０１、メモリ３０２、有線インタフェース（ＩＦ）３０３、無線ＩＦ３０４を含む。ＣＰＵ３０１は、メモリ３０２に格納されたプログラムを実行し、この際のデータをメモリ３０２に一時保持することで、ｅＮＢ１００の機能を実現する。
【００３３】
そして、ｅＮＢ１００（ＣＰＵ３０１）は、ユーザ（ＵＥ１１０）の管理を行い、ユーザ毎に、ベアラの割り当て状況、ＨＯの有無、ＨＯ時のシーケンス管理、基地局装置（ｅＮＢ）１００内のリソースの管理（獲得・解放）等を行う。
【００３４】
ここで、ｅＮＢ１００のうち、ＭｅＮＢ１００ｍ（ＣＰＵ３０１）では、各ＳｅＮＢ１００ｓのユーザ情報を管理し、ＨＯ指示など呼制御に関する指示を行う。一方、ＳｅＮＢ１００ｓ（ＣＰＵ３０１）では、ＭｅＮＢ１００ｍから受信した制御プレーンの信号の内容を解析し、制御指示にしたがって、基地局装置内のリソースの獲得・解放の制御を行う。
【００３５】
そして、ｅＮＢ１００（ＣＰＵ３０１）は、Ｓ−ＧＷ１２０から送られるユーザデータをＳ１インタフェース等の有線ＩＦ３０３を経由して受信し、無線ＩＦ３０４を介してＵＥ１１０に無線送信する。また、ｅＮＢ１００（ＣＰＵ３０１）は、ＤＣのデータとして、他のｅＮＢ１００への転送が必要かを判断し、転送が必要なデータは、有線ＩＦ３０３から、宛先のｅＮＢ１００へ向けて折返しの送信を行う。以上の構成は、既存のｅＮＢ１００が有する機能である。
【００３６】
そして、実施の形態では、ｅＮＢ１００のうち、ＳｅＮＢ１００ｓのＣＰＵ３０１は、自身が持つ基地局装置内リソースの管理情報をもとに、Ｓ−ＧＷ１２０に対して、リソース状態通知を送信する機能をさらに有する。リソース状態通知は、例えば、Ｓ１インタフェース上のＳ１  Ｒｅｓｏｕｒｃｅ  Ｓｔａｔｕｓ  Ｒｅｐｏｒｔｉｎｇ  メッセージとして、Ｓ−ＧＷ１２０に向けて送信される。
【００３７】
また、このリソース状態通知は、既存のＸ２インタフェース上で用いられているＲｅｓｏｕｒｃｅ  Ｓｔａｔｕｓ  Ｕｐｄａｔｅとして使用されているＩＦをＳ−ＧＷ１２０向けの情報として使用することもできる。
【００３８】
ＳｅＮＢ１００ｓのＣＰＵ３０１は、ＭｅＮＢ１００ｍから、あるユーザに対する、無線リソース・ＢＨ側回線リソースの獲得・解放指示を受けたことを契機に、無線リソース・ＢＨ側回線リソースの情報を、Ｓ−ＧＷに送信する。
【００３９】
図４は、実施の形態にかかる基地局装置の機能構成例を示す図である。図４には、ＳｅＮＢ１００ｓが有する機能のうち、主にＳ−ＧＷ１２０に対するリソース状態通知に関する機能を示し、ＳｅＮＢ１００ｓは、検出部４０１、判断部４０２、送信部４０３を含む。
【００４０】
検出部４０１は、無線リソース・ＢＨ側回線リソースの獲得・解放を検出する。判断部４０２は、Ｓ−ＧＷ１２０に対して通知する無線リソース・ＢＨ側回線リソース（どの方路に向けたものか等の使用用途を含む）の情報を判断する。送信部４０３は、Ｓ−ＧＷ１２０へのリソース情報の通知を行う。
【００４１】
検出部４０１と判断部４０２は、図３のＣＰＵ３０１を用いて機能を実現できる。送信部４０３は、図３の有線ＩＦ３０３を用いて機能を実現できる。
【００４２】
また、端末（ＵＥ）１１０についても、上記同様のＣＰＵ、メモリ、無線ＩＦ等を含み、基地局装置（ｅＮＢ）１００との間の無線通信を行う。
【００４３】
図５は、実施の形態にかかる制御装置のハードウェア構成例を示す図である。制御装置（Ｓ−ＧＷ）１２０の構成例を示す。Ｓ−ＧＷ１２０は、有線ＩＦ５０１、スイッチ（Ｓｗｉｔｃｈ）５０２、ＣＰＵ５０３、メモリ５０４を含む。
【００４４】
有線ＩＦ５０１は、基地局装置（ｅＮＢ）１００、および自身より上位のネットワーク（Ｃｏｒｅ  ＮＷ１３０）と通信接続する。スイッチ５０２は、ユーザデータのネットワークパスを切り替える。スイッチ５０２は、ルータと同等の機能を持ち、方路選択のみならず、データの遮断やネットワークのデータ流量に基づくシェーピング等の動作を行う。
【００４５】
ＣＰＵ５０３は、スイッチ５０２のパス切替を判断する。ＣＰＵ５０３は、メモリ５０４に格納されたプログラムを実行し、この際のデータをメモリ５０４に一時保持することで、Ｓ−ＧＷ１２０の機能を実現する。以上の構成は、既存のＳ−ＧＷ１２０が有する機能である。
【００４６】
そして、実施の形態では、ＣＰＵ５０３は、ＳｅＮＢから受信したリソース状態通知のメッセージを解析し、各ｅＮＢ１００（ＳｅＮＢ１００ｓ）におけるユーザ関連リソースの状態を判断する機能をさらに有する。また、ＣＰＵ５０３は、ユーザ関連リソースの状態の判断結果に基づいて、Ｓ−ＧＷ１２０内のスイッチ５０２に対して、パス切替を指示する機能を有する。
【００４７】
図６は、実施の形態にかかる制御装置の機能構成例を示す図である。図６は、Ｓ−ＧＷ１２０の機能構成例を示す。Ｓ−ＧＷ１２０は、判断部６０１、切替部６０２、送信部６０３を含む。
【００４８】
判断部６０１は、各基地局装置（ＳｅＮＢ１００ｓ）におけるユーザ関連リソースの状態を判断する。判断部６０１は、ＳｅＮＢ１００ｓから通知されたリソース状態通知の内容、すなわち、ユーザのＵＥ１１０に対する無線リソースおよび有線（ＢＨ側回線）リソース獲得状況をデータベース（ＤＢ６０１ａ）に保持する。そして、判断部６０１は、Ｓ−ＧＷ１２０が自律してユーザデータ転送時のＳｅＮＢ１００ｓへの方路を決定する。
【００４９】
より具体的には、判断部６０１は、ソースＳｅＮＢ１００ｓｓとターゲットＳｅＮＢ１００ｓｔから同一ユーザ（同一ＵＥ  ＩＤ）のＵＥ１１０のリソース状態通知が通知されたとする。この場合、判断部６０１は、このＵＥ１１０について、以下の条件１）、２）に基づき、ＳｅＮＢ１００ｓ間でＨＯ（Ｉｎｔｅｒ−ＳｅＮＢ  ＳＣＧ  Ｃｈａｎｇｅ）があったと判断する。
１）異なるＳｅＮＢ１００ｓ間で、無線リソースの獲得・解放があった
２）無線リソースを解放したＳｅＮＢ１００ｓではデータ転送用のＢＨ側回線リソースを確保した
【００５０】
そして、判断部６０１は、無線リソースを獲得したＳｅＮＢ１００ｓ（ターゲットＳｅＮＢ１００ｓｔ）に対し、パス切り替えを通知する。また、併せてＭＭＥ１２０に対してベアラの切り替えを通知する。
【００５１】
切替部６０２は、判断部６０１の判断結果に基づいて、Ｓ−ＧＷ１２０内のパス切替を行う。送信部６０３は、切替部６０２のパス切替状態に基づき、ユーザデータを、ＳｅＮＢ１００ｓに送信する。
【００５２】
判断部６０１は、図５のＣＰＵ５０３を用いて機能を実現できる。ＤＢ６０１ａは、例えば、図５のメモリ５０４を用いるほか、外部の補助記憶装置を用いて実現できる。切替部６０２は、図５のスイッチ５０２を用いて機能を実現できる。送信部６０３は、図５の有線ＩＦ５０１を用いて機能を実現できる。
【００５３】
図７は、実施の形態にかかる基地局装置が制御装置に通知する情報例を示す図表である。上述したＳｅＮＢ１００ｓがＣＰＵ３０１の制御により、Ｓ−ＧＷ１２０に通知するリソース状態通知の例を示す。リソース状態通知は、ＵＥ１１０向けに獲得した無線リソースおよび有線（ＢＨ側回線）リソースのリソース獲得状態、およびリソース解放状態を示す各種パラメータを含む。
【００５４】
図７の例では、リソース状態通知７００として、リソースを獲得したＵＥ１１０の識別子（ＵＥ  ＩＤ）７０１、獲得・解放無線リソース７０２、獲得有線リソース７０３、装置全体のリソース量７０４、の各パラメータを含む。
【００５５】
獲得・解放無線リソース７０２は、ＳｅＮＢ１００ｓがＵＥ１１０用に獲得した無線リソースのセル識別子（Ｃｅｌｌ  ＩＤ）と獲得したリソース量、ＳｅＮＢ１００ｓがＵＥ１１０に解放した無線リソースのセルＩＤと解放したリソース量の各パラメータを含む。
【００５６】
獲得有線リソース７０３は、ＳｅＮＢ１００ｓがＵＥ１１０向けに獲得した有線リソースの有線リソースＩＤ、獲得したリソース量、転送先ＵＥ識別子（例えば、Ｘ２インタフェース上のｅＮＢ  ＵＥ  Ｘ２ＡＰ  ＩＤ）の各パラメータを含む。これらは、ＳｅＮＢ１００ｓがＵＥ１１０向けに獲得した有線リソースの有線リソースＩＤにおいて、ＨＯ用（ＳｅＮＢ間転送用）であるかを示すパラメータとして用いられる。
【００５７】
装置全体のリソース量７０４は、基地局装置（ＳｅＮＢ１００ｓ）全体の無線リソース量および有線リソース量、の各パラメータを含む。この装置全体のリソース量７０４は、Ｓ−ＧＷ１０２によるユーザデータの経路選択判断に用いられる。
【００５８】
図７に示したリソース状態通知の各情報は、既存技術の基地局間通信用のＸ２インタフェースの「Ｒｅｓｏｕｒｓｅ  Ｓｔａｔｕｓ  Ｕｐｄａｔｅ」の各パラメータに追加し、ＳｅＮＢ１００ｓがＳ−ＧＷ１２０向けに送信する形で使用してもよい。
【００５９】
図８は、実施の形態にかかる基地局装置の動作例を示すフローチャートである。図８には、主に、ＳｅＮＢ１００ｓ（ソースＳｅＮＢ１００ｓｓ）によるリソース状態通知に関する動作を示す。はじめに、ソースＳｅＮＢ１００ｓは、ＭｅＮＢ１００ｍからリソースの獲得・解放指示を受信すると（ステップＳ８０１）、対応して無線および有線リソースの獲得、あるいは解放を行う（ステップＳ８０２）。
【００６０】
そして、ソースＳｅＮＢ１００ｓは、リソースの獲得あるいは解放を行ったことを契機に、リソース状態通知（図７参照）をＳ−ＧＷ１２０に通知し（ステップＳ８０３）、以上の処理を終了する。
【００６１】
図９は、実施の形態にかかる制御装置の動作例を示すフローチャートである。図９には、主に、Ｓ−ＧＷ１２０のＣＰＵ５０３の制御により、リソース状態通知を受けてユーザデータを経路決定する動作を示す。
【００６２】
はじめに、Ｓ−ＧＷ１２０は、ソースＳｅＮＢ１００ｓｓからリソース状態通知によりソースＳｅＮＢ１００ｓｓ内のリソース獲得状態を受信する（ステップＳ９０１）。そして、Ｓ−ＧＷ１２０は、異なるＳｅＮＢ１００ｓ間で同一ユーザへのリソース獲得・解放が発生したかを判断する（ステップＳ９０２）。
【００６３】
そして、Ｓ−ＧＷ１２０は、異なるＳｅＮＢ１００ｓ間で同一ユーザへのリソース獲得・解放が発生した場合には（ステップＳ９０２：Ｙｅｓ）、ステップＳ９０３の処理に移行する。一方、異なるＳｅＮＢ１００ｓ間で同一ユーザへのリソース獲得・解放が発生していない場合には（ステップＳ９０２：Ｎｏ）、以上の処理を終了する。
【００６４】
ステップＳ９０３では、Ｓ−ＧＷ１２０は、リソース獲得・解放制御がＨＯ用であるか否かを判断する（ステップＳ９０３）。Ｓ−ＧＷ１２０は、リソース獲得・解放制御がＨＯ用であれば（ステップＳ９０３：Ｙｅｓ）、ステップＳ９０４の処理に移行し、リソース獲得・解放制御がＨＯ用でなければ（ステップＳ９０３：Ｎｏ）、以上の処理を終了する。
【００６５】
ステップＳ９０４では、Ｓ−ＧＷ１２０は、Ｓ−ＧＷ１２０とＳｅＮＢ１００ｓとの間のパス切り替えについて、ソースＳｅＮＢ１００ｓｓとターゲットＳｅＮＢ１００ｓｔそれぞれの獲得リソース量をもとに、切替先パスを選択する（ステップＳ９０４）。例えば、複数のＳｅＮＢ１００ｓのうち、最も獲得リソース量が多いｅＮＢ１００ｓがＨＯ先のターゲットＳｅＮＢ１００ｓｔであると判断する。
【００６６】
そして、Ｓ−ＧＷ１２０は、ユーザデータの送信先のスイッチ設定を、ソースＳｅＮＢ１００ｓｓ向けからターゲットＳｅＮＢ１００ｓｔ向けに切り替え（ステップＳ９０５）、以上の処理を終了する。
【００６７】
図１０は、既存の通信システムにおける各装置間のデータのやり取りを示すシーケンス図である。ＤＣのＨＯ時における、ｅＮＢ１００間でのユーザデータの切り替え制御について説明しておく。図中実線はＤＣ時の制御プレーンの制御信号の流れ、図中点線はユーザデータの流れを示す。
【００６８】
ＨＯ前の通常接続時の状態では、Ｃｏｒｅ  ＮＷ１３０から送信されたユーザデータは、Ｓ−ＧＷ１２０からソースＳｅＮＢ１００ｓｓに送信される。ソースＳｅＮＢ１００ｓｓは、ユーザデータを所定の割合でＭｅＮＢ１００ｍとＵＥ１１０に送信する。ＭｅＮＢ１００ｍは、受信したユーザデータをＵＥ１１０に送信する。これにより、図２（ａ）に示したように、ＵＥ１１０は、ＤＣにより、ＭｅＮＢ１００ｍとソースＳｅＮＢ１００ｓｓからそれぞれユーザデータを受信する。
【００６９】
そして、図２（ｂ）に示すように、ＵＥ１１０の移動によるＨＯが発生したとする。この場合、既存の技術では、各装置間で図示の１．〜１４．に示す各メッセージを順次送信する。例えば、ＭｅＮＢ１００ｍは、ターゲットＳｅＮＢ１００ｓｔに、１．ＳｅＮＢ  Ａｄｄｉｔｉｏｎ  Ｒｅｑｕｅｓｔを通知する。ターゲットＳｅＮＢ１００ｓｔは、ＭｅＮＢ１００ｍに、２．ＳｅＮＢ  Ａｄｄｉｔｉｏｎ  Ｒｅｑｕｅｓｔ  Ａｃｋｎｏｗｌｅｄｇｅを通知する。
【００７０】
この後、ＭｅＮＢ１００ｍは、ソースＳｅＮＢ１００ｓｓに、３．ＳｅＮＢ  Ｒｅｌｅａｓｅ  Ｒｅｑｕｅｓｔを通知する。また、ＭｅＮＢ１００ｍは、ＵＥ１１０に、４．ＲＲＣ  ｃｏｎｎｅｃｔｉｏｎ  Ｒｅｃｏｎｆｉｇｕｒａｔｉｏｎを通知する。ＵＥ１１０は、ＭｅＮＢ１１０ｍに、５．ＲＲＣ  ｃｏｎｎｅｃｔｉｏｎ  Ｒｅｃｏｎｆｉｇｕｒａｔｉｏｎ  Ｃｏｍｐｌｅｔｅを通知する。この後、ＭｅＮＢ１００ｍは、ターゲットＳｅＮＢ１００ｓｔに、６．ＳｅＮＢ  Ｒｅｃｏｎｆｉｇｕｒａｔｉｏｎ  Ｃｏｍｐｌｅｔｅを通知する。以上の１．〜６．のメッセージのやり取りにより、ＭｅＮＢ１００ｍは、ＨＯ準備ができたことをターゲットＳｅＮＢ１００ｓｔに通知する。
【００７１】
この後、７．〜１４．のメッセージを順次送信する。例えば、ターゲットＳｅＮＢ１００ｓｔは、ＵＥ１１０との間で、７．Ｒａｍｄｏｍ  Ａｃｃｅｓｓ  Ｐｒｏｃｅｄｕｒｅをやり取りする。８ａ．８ｂ．のＳＮ  Ｓｔａｔｕｓ  Ｔｒａｎｓｆｅｒは、ＨＯでソースＳｅＮＢ１００ｓｓに溜まったユーザデータをＭｅＮＢ１００ｍを介してターゲットＳｅＮＢ１００ｓｔに転送する。
【００７２】
この後、Ｃｏｒｅ  ＮＷ１３０から送信されるユーザデータは、Ｓ−ＧＷ１２０からＭｅＮＢ１００ｍに送信され、ＭｅＮＢ１００ｍが折り返してターゲットＳｅＮＢ１００ｓｔに転送する。このように、ＨＯの期間中は、図２（ｂ）に示すように、ソースＳｅＮＢ１００ｓｓが受信したユーザデータは、全てＭｅＮＢ１００ｍを介してターゲットＳｅＮＢ１００ｓｔに転送される。
【００７３】
次に、ＭｅＮＢ１００ｍは、９．Ｅ−ＲＡＢ  Ｍｏｄｉｆｉｃａｔｉｏｎ  Ｉｎｄｉｃａｔｉｏｎにより、ＭＭＥ１２０に対するＵＥ１１０の移動、すなわち、ソースＳｅＮＢ１００ｓｓからターゲットＳｅＮＢ１００ｓｔへの移動を通知する。そして、ＭＭＥ／Ｓ−ＧＷ１２０間で１０．Ｂｅａｒｅｒ  Ｍｏｄｉｆｉｃａｔｉｏｎをやり取りし、Ｓ−ＧＷ１２０は、ソースＳｅＮＢ１００ｓｓ〜ＭｅＮＢ１００ｍ〜ターゲットＳｅＮＢ１００ｓｔに、１１．Ｅｎｄ  Ｍａｒｋｅｒ  Ｐａｃｋｅｔを送信する。
【００７４】
この後、Ｓ−ＧＷ１２０は、ターゲットＳｅＮＢ１００ｓｔに、新しいユーザデータの経路として、１２．Ｎｅｗ  Ｐａｔｈを通知し、ＭＭＥ１２０は、ＭｅＮＢ１００ｍに、１３．Ｅ−ＲＡＢ  Ｍｏｄｉｆｉｃａｔｉｏｎ  ｃｏｎｆｉｒｍａｔｉｏｎを通知する。そして、ＭｅＮＢ１００ｍは、ソースＳｅＮＢ１００ｓｓに、１４．ＵＥ  ｃｏｎｔｅｘｔ  Ｒｅｌｅａｓｅを通知する。
【００７５】
これにより、以降、Ｃｏｒｅ  ＮＷ１３０から送信されるユーザデータは、Ｓ−ＧＷ１２０からターゲットＳｅＮＢ１００ｓｔに送信される。ターゲットＳｅＮＢ１００ｓｔは、ユーザデータを所定の割合でＭｅＮＢ１００ｍとＵＥ１１０に送信する。ＭｅＮＢ１００ｍは、受信したユーザデータをＵＥ１１０に送信する。これにより、図２（ｃ）に示したように、ＵＥ１１０は、ＤＣにより、ＭｅＮＢ１００ｍとターゲットＳｅＮＢ１００ｓｔからそれぞれユーザデータを受信する。
【００７６】
図１１は、実施の形態にかかる通信システムにおける各装置間のデータのやり取りを示すシーケンス図である。
【００７７】
実施の形態では、上述のように、ＳｅＮＢ１００ｓは、あるユーザのＵＥ１１０に対する無線リソースおよび有線（ＢＨ側回線）リソースを獲得または解放したタイミングで、Ｓ−ＧＷ１２０に対し、Ｒ．リソース獲得・解放のリソース状態通知Ｒを通知する。
【００７８】
また、上述したように、Ｓ−ＧＷ１２０についても、ＳｅＮＢ１００ｓから収集したあるユーザのＵＥ１１０に対する無線リソースおよび有線（ＢＨ側回線）リソースの獲得状況をＤＢ６０１ａに保持する。そして、Ｓ−ＧＷ１２０は、Ｓ−ＧＷ１２０が自律してユーザデータ転送時のＳｅＮＢ１００ｓへの方路を決定する。
【００７９】
次に、通常接続時以降のＨＯ発生時における各装置のやり取りについて説明する。はじめに、ＭｅＮＢ１００ｍが、ターゲットＳｅＮＢ１００ｓｔに対し、１．ＳｅＮＢ  Ａｄｄｉｔｉｏｎ  Ｒｅｑｕｅｓｔを通知した後、ソースＳｅＮＢ１００ｓｓに対し、３．ＳｅＮＢ  Ｒｅｌｅａｓｅ  Ｒｅｑｕｅｓｔを通知する。
【００８０】
実施の形態では、上記３．ＳｅＮＢ  Ｒｅｌｅａｓｅ  Ｒｅｑｕｅｓｔの通知タイミングで、ソースＳｅＮＢ１００ｓｓは、上述した、Ｒ．リソース獲得・解放のリソース状態通知ＲをＳ−ＧＷ１２０に通知することになる。
【００８１】
続いて、ＭｅＮＢ１００ｍは、ＵＥ１１０に、４．ＲＲＣ  ｃｏｎｎｅｃｔｉｏｎ  Ｒｅｃｏｎｆｉｇｕｒａｔｉｏｎを通知する。ＵＥ１１０は、ＭｅＮＢ１１０ｍに、５．ＲＲＣ  ｃｏｎｎｅｃｔｉｏｎ  Ｒｅｃｏｎｆｉｇｕｒａｔｉｏｎ  Ｃｏｍｐｌｅｔｅを通知する。この後、ＭｅＮＢ１００ｍは、ターゲットＳｅＮＢ１００ｓｔに、６．ＳｅＮＢ  Ｒｅｃｏｎｆｉｇｕｒａｔｉｏｎ  Ｃｏｍｐｌｅｔｅを通知する。
【００８２】
実施の形態では、上記６．ＳｅＮＢ  Ｒｅｃｏｎｆｉｇｕｒａｔｉｏｎ  Ｃｏｍｐｌｅｔｅの通知タイミングで、ターゲットＳｅＮＢ１００ｓｔは、上述した、Ｒ．リソース獲得・解放のリソース状態通知ＲをＳ−ＧＷ１２０に通知することになる。
【００８３】
これにより、Ｓ−ＧＷ１２０は、ソースＳｅＮＢ１００ｓｓおよびターゲットＳｅＮＢ１００ｓｔからそれぞれ通知されたリソース状態通知Ｒに基づき、同一ユーザのＵＥ１１０について、ＳｅＮＢ１００ｓ間でのＨＯの有無を判断できる。なお、Ｓ−ＧＷ１２０は、同一ＵＥ１１０について、１）異なるＳｅＮＢ１００ｓ間で、無煙リソースの獲得・解放があり、かつ、２）無線リソースを解放したＳｅＮＢ１００ｓではデータ転送用のＢＨ側回線リソースを確保した場合にＨＯがあったと判断する。
【００８４】
このように、Ｓ−ＧＷ１２０は、ソースＳｅＮＢ１００ｓｓおよびターゲットＳｅＮＢ１００ｓｔからそれぞれ通知されたリソース状態通知Ｒに基づきＨＯの有無を判断する。そして、Ｓ−ＧＷ１２０は、ＨＯと判断したタイミングで、ＵＥ１１０との間で、７．Ｒａｍｄｏｍ  Ａｃｃｅｓｓ  Ｐｒｏｃｅｄｕｒｅをやり取りした後、ターゲットＳｅＮＢ１００ｓｔに対し、ｃ．Ｎｅｗ  Ｐａｔｈを通知することができる。また、ＭＭＥ１２０に対しては、ｄ．Ｂｅａｒｅｒ  Ｍｏｄｉｆｉｃａｔｉｏｎの処理をやり取りする。
【００８５】
この後、実施の形態においても、通信システムの各装置は、既存のメッセージ８ａ．ＳＮ  Ｓｔａｔｕｓ  Ｔｒａｎｓｆｅｒ〜１４．ＵＥ  ｃｏｎｔｅｘｔ  Ｒｅｌｅａｓｅと同様の各通知を実行する。
【００８６】
そして、実施の形態では、ｄ．Ｂｅａｒｅｒ  Ｍｏｄｉｆｉｃａｔｉｏｎの通知後、時期ｔ０において、既に、パス切り替え済みとなる。これにより、Ｃｏｒｅ  ＮＷ１３０から送信されるユーザデータは、Ｓ−ＧＷ１２０から直接、ターゲットＳｅＮＢ１００ｓｔに送信することができる。また、既存の手順（図１０）で説明したＤａｔａ  Ｆｏｗａｒｄｉｎｇ等のＭｅＮＢ１００ｍでのユーザデータの転送動作は発生しない。
【００８７】
加えて、図１１の最下部には、参考までに既存の手順（図１０）で説明したユーザデータの送信時期（ｔ１）を記載している。実施の形態によれば、Ｓ−ＧＷ１２０からターゲットＳｅＮＢ１００ｓｔにユーザデータが直接届く時期は、７．Ｒａｍｄｏｍ  Ａｃｃｅｓｓ  Ｐｒｏｃｅｄｕｒｅのシーケンス直後である。
【００８８】
すなわち、実施の形態によれば、既存の技術による時期（ｔ１）よりも期間Ｔだけ短い時期にターゲットＳｅＮＢ１００ｓｔに対する転送開始を早めることができる。このことは、既存技術による経路切り替えの手順のＨＯ中である図２（ｂ）に示した、ＭｅＮＢ１００ｍがユーザデータを折り返し転送する状態の期間をできるだけ短くできることに相当する。
【００８９】
また、図１１に示したように、実施の形態による手順は、標準化された既存（汎用）のＨＯの手順を変更することなく実施できる。
【００９０】
以上の実施の形態によれば、ソースｅＮＢおよびターゲットＳｅＮＢは、それぞれ端末に対する無線および有線（ＢＨ側回線）リソースの獲得および解放時にリソース獲得・解放の情報をリソース状態通知としてＳ−ＧＷに通知する。制御装置（Ｓ−ＧＷ）は、端末が複数の基地局装置（ｅＮＢ）の同時通信（ＤＣ）でのハンドオーバ（ＨＯ）の際、ソースおよびターゲットのＳｅＮＢからのリソース状態通知によりリソース獲得および解放状態の情報を取得し、ハンドオーバの有無を判断する。そして、Ｓ−ＧＷは、ＨＯの期間中、ＭｅＮＢを経由するユーザデータの転送経路をＳｅＮＢに切り替え指示するよりも前の時期に、直接Ｓ−ＧＷからターゲットのＳｅＮＢに対して送信するよう経路切り替えを行う。
【００９１】
これにより、ＤＣのＨＯ時のデータ転送時間を最小化でき、上位ネットワークから送信されてくるユーザデータを特定したターゲットＳｅＮＢに対して短時間で速やかに送信できるようになる。また、ＨＯ期間中、ユーザデータがＭｅＮＢを経由する時間を短時間に抑制でき、ＭｅＮＢの処理負荷を軽減できるようになる。また、ＨＯ期間中、ソースＳｅＮＢからＭｅＮＢを介してターゲットＳｅＮＢに至るユーザデータの転送にかかるＸ２ＩＦ等の基地局間通信ＩＦの負荷を抑制できるようになる。これらにより、ＨＯ時におけるデータ転送時間の増加やデータロス等のサービスの通信品質低下の影響を低減できるようになる。また、ユーザデータの容量増加に伴うＭｅＮＢのコスト増加を低減することが可能になる。
【００９２】
ソースおよびターゲットのＳｅＮＢは、ＭｅＮＢからある端末のリソースの獲得あるいは解放指示の受信に対応してリソースの獲得あるいは解放を行い、この契機でＳ−ＧＷに対してリソース状態通知を行う。したがって、Ｓ−ＧＷは、ソースおよびターゲットのＳｅＮＢからのリソース状態通知のタイミングで、ユーザデータの転送経路の切り替え制御を行うことができ、ＨＯが生じた時、短い期間でＨＯの経路切り替えを判断できるようになる。
【００９３】
リソース状態通知の情報は、例えば、端末の識別子と、解放した無線リソース情報と、獲得したＢＨ側回線リソース情報と、を含む。そして、Ｓ−ＧＷは、ソースおよびターゲットのＳｅＮＢから通知されたリソース状態通知の同一の端末について、これら異なるＳｅＮＢ間で、無煙リソースの獲得・解放があることをＨＯの条件とする。加えて、無線リソースを解放したソースＳｅＮＢではデータ転送用のＢＨ側回線リソースを確保した場合にＨＯの条件として判断する。これらの条件によって、Ｓ−ＧＷは、コアＮＷ側からのユーザデータ転送時のターゲットＳｅＮＢへの方路を自律的に切り替えることができる。
【００９４】
以上のように、実施の形態によれば、ＤＣのＨＯ時、Ｓ−ＧＷは、ユーザデータのパスの切替タイミングをできるだけ早期に行うことができ、ターゲットＳｅＮＢに向けて送信できるようになる。そして、実施の形態では、既存の技術によるＳｅＮＢ、およびＳ−ＧＷの構成に、上述したリソース状態通知に関する機能を追加するだけで実現できる。
【００９５】
そして、実施の形態によれば、ＤＣのＨＯ（Ｉｎｔｅｒ−ＳｅＮＢ  ＳＣＧ  Ｃｈａｎｇｅ）の際、Ｓ−ＧＷは、ＳｅＮＢ側のリソースを監視し、獲得および解放リソース状態の変化にリアルタイムに追従することが可能になる。また、既存の技術でユーザデータの転送経路の制御を司っていたＭｅＮＢが指示するよりも先に、Ｓ−ＧＷが内部でユーザデータの転送スイッチを切り替えるため、ＨＯ時のユーザデータの転送時間を最小化でき、ＭｅＮＢの処理負荷を軽減できる。
【００９６】
なお、本実施の形態で説明した制御方法は、予め用意された制御プログラムを対象機器（上記制御装置等）等のコンピュータ（ＣＰＵ等のプロセッサ）で実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００９７】
上述した実施の形態に関し、さらに以下の付記を開示する。
【００９８】
（付記１）ユーザプレーンの制御を行う制御装置と、基地局装置と、前記基地局装置と無線通信を行う端末とを含み、マクロセルの前記基地局装置で制御プレーンを終端し、複数のスモールセルの前記基地局装置でユーザプレーンを終端した同時通信（Ｄｕａｌ  Ｃｏｎｎｅｃｔｉｖｉｔｙ）を行う通信システムにおいて、
前記端末の移動に基づき、複数の前記基地局装置は、それぞれ、前記端末に対する無線リソースおよびバックホール側回線リソースを獲得または解放した場合、獲得または解放したリソース情報を前記制御装置に通知し、
前記制御装置は、通知された前記リソース情報に基づいて、前記スモールセルの前記基地局装置間でのハンドオーバの判断を行い、該当する前記基地局装置にユーザデータを切り替える制御を行う、
ことを特徴とする通信システム。
【００９９】
（付記２）前記制御装置は、
同一の端末の識別子の前記リソース情報の通知を受けた複数の前記基地局装置間で、前記無線リソースの獲得および開放があり、かつ、前記無線リソースを解放した前記基地局装置で前記ユーザデータ転送用の前記バックホール側回線リソースを確保した場合に、複数の前記基地局装置間でハンドオーバがあったと判断することを特徴とする付記１に記載の通信システム。
【０１００】
（付記３）前記スモールセルの前記基地局装置は、前記マクロセルの前記基地局装置から前記リソースの獲得または解放の指示に基づき、前記端末に対する無線リソースおよびバックホール側回線リソースの獲得または解放を行うことを特徴とする付記１または２に記載の通信システム。
【０１０１】
（付記４）前記スモールセルの基地局装置は、前記リソース情報として、前記端末の識別子、前記端末用に獲得または解放した前記無線リソースのセル識別子とリソース量、前記端末用に獲得または解放した前記バックホール側回線リソースのリソース識別子、リソース量、転送先端末の識別子、前記スモールセルの前記基地局装置全体の無線リソース量および有線リソース量の各情報を含み、前記制御装置に通知することを特徴とする付記１〜３のいずれか一つに記載の通信システム。
【０１０２】
（付記５）マクロセルの基地局装置で制御プレーンを終端し、複数のスモールセルの基地局装置でユーザプレーンを終端し、端末との間で同時通信（Ｄｕａｌ  Ｃｏｎｎｅｃｔｉｖｉｔｙ）を行う通信システムの前記ユーザプレーンの制御を行う制御装置において、
前記マクロセルの前記基地局装置から通知された、前記端末に対する無線リソースおよびバックホール側回線リソースを示すリソース情報に基づいて、前記スモールセルの前記基地局装置間でのハンドオーバの判断を行い、該当する前記基地局装置にユーザデータを切り替える制御を行うことを特徴とする制御装置。
【０１０３】
（付記６）ユーザプレーンの制御を行う制御装置と、マクロセルの基地局装置で制御プレーンを終端し、複数のスモールセルの基地局装置で前記ユーザプレーンを終端し、端末との間で同時通信（Ｄｕａｌ  Ｃｏｎｎｅｃｔｉｖｉｔｙ）を行う通信システムの前記スモールセルの基地局装置において、
前記端末の移動に基づき、複数の前記基地局装置は、それぞれ、前記端末に対する無線リソースおよびバックホール側回線リソースを獲得または解放した場合、獲得または解放したリソース情報を前記制御装置に通知し、
前記制御装置から通知された前記ユーザデータの切り替え通知を受けた装置が受信したユーザデータを前記端末に無線送信することを特徴とする基地局装置。
【０１０４】
（付記７）ユーザプレーンの制御を行う制御装置と、基地局装置と、前記基地局装置と無線通信を行う端末とを含み、マクロセルの前記基地局装置で制御プレーンを終端し、複数のスモールセルの前記基地局装置でユーザプレーンを終端した同時通信（Ｄｕａｌ  Ｃｏｎｎｅｃｔｉｖｉｔｙ）を行う通信システムの通信方法において、
複数の前記スモールセルの前記基地局装置は、前記端末の移動に基づき、それぞれ、前記端末に対する無線リソースおよびバックホール側回線リソースを獲得または解放した場合、獲得または解放したリソース情報を前記制御装置に通知し、
前記制御装置は、通知された前記リソース情報に基づいて、前記スモールセルの前記基地局装置間でのハンドオーバの判断を行い、該当する前記基地局装置にユーザデータを切り替える制御を行う、
ことを特徴とする通信方法。
【０１０５】
（付記８）前記制御装置は、前記ハンドオーバの制御を実施し、かつ、前記ハンドオーバ先の前記基地局装置に前記パスの切り替えを通知し、前記制御プレーンの制御装置にベアラの切り替えを通知することを特徴とする付記７に記載の通信方法。
【０１０６】
（付記９）前記制御装置は、前記マクロセルの前記基地局装置が前記ユーザデータの切り替え指示を行う前の時期に前記パスの切り替え通知を行うことを特徴とする付記８に記載の通信方法。
【符号の説明】
【０１０７】
１００  基地局装置（ｅＮＢ）
１００ｓ  ＳｅＮＢ
１００ｓｓ  ソースＳｅＮＢ
１００ｓｔ  ターゲットＳｅＮＢ
１００ｍ  ＭｅＮＢ
１１０  端末（ＵＥ）
１２０  ＭＭＥ／制御装置（Ｓ−ＧＷ）
１３０  Ｃｏｒｅ  ＮＷ
３０１，５０３  ＣＰＵ
３０２，５０４  メモリ
３０３，５０１  有線ＩＦ
３０４  無線ＩＦ
４０１  検出部
４０２，６０１  判断部
４０３，６０３  送信部
５０２  スイッチ
６０１ａ  ＤＢ
６０２  切替部
７００  リソース状態通知
【図１】
2019106586.tif 000003
【図２】
2019106586.tif 000004
【図３】
2019106586.tif 000005
【図４】
2019106586.tif 000006
【図５】
2019106586.tif 000007
【図６】
2019106586.tif 000008
【図７】
2019106586.tif 000009
【図８】
2019106586.tif 000010
【図９】
2019106586.tif 000011
【図１０】
2019106586.tif 000012
【図１１】
2019106586.tif 000013